(57)【要約】      （修正有）【課題】成型コストの上昇を抑制し長期使用でもガタが発生し難く強度低下の可能性が少なく信頼性の高いカメラアダプタを提供する。【解決手段】カメラを載置するベース部と筐体(50)に固定されたハンドル(60)とを有する。ハンドルは端部側に形成された周溝(60b1)とその底部に形成された凹部(60c1)とを有する。筐体はハンドルの断面をカメラアダプタの使用状態における鉛直線及び水平線で４分割した際の鉛直線に対し一方側であって水平線に対し天側となる外面位置で当接する第１の当接部と水平線に対し地側となる外面位置で当接する第２の当接部とを有する。鉛直線に対し他方側の周溝に係合する溝係合部及び凹部に係合する凸部を有しハンドルを筐体との間に挟持するブラケット(120)を備える。凸部とハンドルの中心とを通る直線が第１及び第２の当接部間に位置し第１の当接部の当接面積が第２の当接部よりも大きい。【選択図】図７
2012013904.tif 000002
【特許請求の範囲】
【請求項１】
丸棒又は丸管なるハンドルを支持部材に固定するハンドル固定構造において、
前記ハンドルは、端部側に形成された周溝と、前記周溝の底部に形成された凹部と、を有し、
前記支持部材は、前記ハンドルの断面形状を直径で２分した際の一方側の外面に対し周方向の異なる位置で前記ハンドルに当接する第１及び第２の当接部を有し、
他方側の周溝に係合する溝係合部及び前記凹部に係合する凸部を有し前記ハンドルを前記支持部材との間に挟持するよう前記支持部材に固定されたブラケットを備え、
前記凸部と前記ハンドルの中心とを通る直線が前記第１の当接部と前記第２の当接部との間に位置すると共に、前記第１の当接部の当接面積が前記第２の当接部の当接面積よりも大きいことを特徴とするハンドル固定構造。
【請求項２】
カメラを載置するベース部と、
筐体と前記筐体に固定されたハンドルとを有し、載置された前記カメラの側面と対向するよう又は対向可能なよう前記筐体と前記ベース部とが連結された側面部と、を有するカメラアダプタにおいて、
前記ハンドルは、端部側に形成された周溝と、前記周溝の底部に形成された凹部と、を有し、
前記筐体は、前記ハンドルの断面形状を当該カメラアダプタの使用状態における鉛直線及び水平線で４分割した際の、鉛直線に対し一方側であって、水平線に対し天側となる外面位置で前記ハンドル(60)に当接する第１の当接部と前記水平線に対し地側となる外面位置で前記ハンドル(60)に当接する第２の当接部とを有し、
鉛直線に対し他方側の周溝に係合する溝係合部及び前記凹部に係合する凸部を有し前記ハンドルを前記筐体との間に挟持するよう前記筐体に固定されたブラケットを備え、
前記凸部と前記ハンドルの中心とを通る直線が前記第１の当接部と前記第２の当接部との間に位置すると共に、前記第１の当接部の当接面積が前記第２の当接部の当接面積よりも大きいことを特徴とするカメラアダプタ。
【発明の詳細な説明】
【技術分野】
【０００１】
本発明は、ハンドル固定構造及びカメラアダプタに係る。
【背景技術】
【０００２】
可搬型のビデオカメラをスタジオカメラとして使用するためにそのビデオカメラに取り付けるカメラアダプタが知られている。
可搬型のビデオカメラとカメラアダプタとは、両者が一体化された状態でスタジオ用の大型三脚などに固定されるが、大型三脚から取り外して持ち運びができるように、カメラアダプタにハンドルを備える場合が多い。
このようなカメラアダプタの例が特許文献１に記載されている。
【先行技術文献】
【特許文献】
【０００３】
【特許文献１】特開２００９−８９１１４号公報
【発明の概要】
【発明が解決しようとする課題】
【０００４】
従来、カメラアダプタのハンドルは、カメラアダプタの筐体と一体で形成されるか、特許文献１に記載されたように、棒状部材を用い、その両端面を、筐体から突出した腕状部に固定して形成されるものであった。
しかしながら、カメラアダプタの筐体は、業務用途として要求される堅牢性を得るために通常ダイキャストで形成されるので、ハンドルと筐体とを一体形成した場合は、筐体が大型化して成型コストがアップしてしまう。
また、棒状部材を用いその両端面を固定する構造では、長期使用の場合、ハンドルの軸方向のガタが発生し易く、ガタが発生した場合強度低下も懸念されるので、スタジオ用として高強度を長期的に維持できる信頼性の高い構造であることが望まれる。
【０００５】
そこで、本発明が解決しようとする課題は、成型コストの上昇を抑制し、長期使用の場合も、ガタが発生し難く強度低下の可能性が少なく、より信頼性の高いハンドル固定構造及びカメラアダプタを提供することにある。
【課題を解決するための手段】
【０００６】
上記の課題を解決するために、本願発明は手段として次の構成を有する。
１）  丸棒又は丸管なるハンドル(60)を支持部材(50)に固定するハンドル固定構造において、
前記ハンドル(60)は、端部側に形成された周溝(60b1)と、前記周溝(60b1)の底部に形成された凹部(60c1)と、を有し、
前記支持部材(50)は、前記ハンドル(60)の断面形状を直径で２分した際の一方側の外面に対し周方向の異なる位置で前記ハンドル(60)に当接する第１及び第２の当接部(204b,205b)を有し、
他方側の周溝(60b1)に係合する溝係合部(120b)及び前記凹部(60c1)に係合する凸部(120c)を有し前記ハンドル(60)を前記支持部材(50)との間に挟持するよう前記支持部材(50)に固定されたブラケット(120)を備え、
前記凸部(120c)と前記ハンドル(60)の中心とを通る直線が前記第１の当接部(204b)と前記第２の当接部(205b)との間に位置すると共に、前記第１の当接部(204b)の当接面積が前記第２の当接部(205b)の当接面積よりも大きいことを特徴とするハンドル固定構造である。
２）  カメラ(101)を載置するベース部(10)と、
筐体(50)と前記筐体(50)に固定されたハンドル(60)とを有し、載置された前記カメラ(101)の側面と対向するよう又は対向可能なよう前記筐体(50)と前記ベース部(10)とが連結された側面部(3)と、を有するカメラアダプタ(1)において、
前記ハンドル(60)は、端部側に形成された周溝(60b1)と、前記周溝(60b1)の底部に形成された凹部(60c1)と、を有し、
前記筐体(50)は、前記ハンドル(60)の断面形状を当該カメラアダプタ(1)の使用状態における鉛直線及び水平線で４分割した際の、鉛直線に対し一方側であって、水平線に対し天側となる外面位置で前記ハンドル(60)に当接する第１の当接部(204b)と前記水平線に対し地側となる外面位置で前記ハンドル(60)に当接する第２の当接部(205b)とを有し、
鉛直線に対し他方側の周溝(60b1)に係合する溝係合部(120b)及び前記凹部(60c1)に係合する凸部(120c)を有し前記ハンドル(60)を前記筐体(50)との間に挟持するよう前記筐体(50)に固定されたブラケット(120)を備え、
前記凹係合部(120b)と前記ハンドル(60)の中心とを通る直線が前記第１の当接部(204b)と前記第２の当接部(205b)との間に位置すると共に、前記第１の当接部(204b)の当接面積が前記第２の当接部(205b)の当接面積よりも大きいことを特徴とするカメラアダプタ(1)である。
【発明の効果】
【０００７】
本発明によれば、筐体の成型コスト上昇を抑制でき、長期使用の場合も、ガタが発生し難く強度低下の可能性が少なく、より高い信頼性が得られる。
【図面の簡単な説明】
【０００８】
【図１】本発明のカメラアダプタの実施例を示す外観斜視図である。
【図２】本発明のカメラアダプタの実施例を示す左側面図である。
【図３】本発明のカメラアダプタの実施例にビデオカメラを装着した状態を説明する斜視図である。
【図４】本発明のカメラアダプタの実施例にビデオカメラを装着した状態を説明する他の斜視図である。
【図５】本発明のカメラアダプタの実施例を説明するための分解図である。
【図６】本発明のカメラアダプタの実施例を説明するための要部斜視図である。
【図７】本発明のカメラアダプタの実施例を説明するための要部分解図である。
【図８】本発明のシャフト固定構造の実施例における主要部材の三面図である。
【図９】本発明のカメラアダプタの実施例を説明するための部分平面図である。
【図１０】本発明のシャフト固定構造の実施例を説明するための断面図である。
【発明を実施するための形態】
【０００９】
本発明の実施の形態を、好ましい実施例により図１〜図１０を用いて説明する。
以下の説明において、カメラアダプタに装着されたビデオカメラが撮影する被写体側を前方とし、これを基準として上下左右前後の各方向を設定する（各図の矢印を参照）。尚、上下方向はカメラアダプタ使用時の天地方向に相当する。
【００１０】
まず、図１及び図２を用いて、実施例のカメラアダプタ５０の全体構成について説明する。
【００１１】
カメラアダプタ１は、ベース部１０，左前腕部２０，右前腕部５０，左ハンドル部３０，右ハンドル部６０，左後腕部４０，及び右後腕部７０を有して構成されている。
左前腕部２０及び左後腕部４０は、両者を連結する左ハンドル部３０と共に左側面部２を構成している。左側面部２はベース部１０と一体的に形成されている。
右前腕部５０と右後腕部７０とは、右ハンドル部６０により連結され一体化されている。
すなわち、右前腕部５０及び右後腕部７０は、両者を連結する右ハンドル６０と共に右側面部３として一体化されている。
右側面部３は、ベース部１０において、軸線Ｃの回りに（図１の矢印ＤＲ１，ＤＲ２方向に）回動可能なよう軸支されている。
右側面部３は、起立状態（図１の状態）迄図１の矢印ＤＲ１の方向に回動させると、その先端部が左後腕部４０の上方側の端部４０ｔと当接するようになっている。
右側面部３は、その起立状態で左後腕部４０に対し取り付けネジ８０により固定される。
【００１２】
ベース部１０，左前腕部２０，右前腕部５０，左後腕部４０，及び右後腕部７０は、アルミニウムのダイキャストにより形成されている。これは業務用途で要求される堅牢製などを確保するためである。
左ハンドル部３０及び右ハンドル部６０は、アルミニウムのパイプ材から形成されており、それぞれにおける手で把持する部分には、シリコンゴムのチューブからなる滑り止め３０ａ，６０ａが取り付けられている。
以下、左ハンドル部３０及び右ハンドル部６０を単にハンドル３０，６０とも称する。
【００１３】
次に、図１，図３，及び図４を用いて、カメラアダプタ１への可搬型のビデオカメラ１０１の取り付けについて説明する。
【００１４】
図１の状態から、取り付けネジ８０を外し、右側面部３を矢印ＤＲ２の方向に回動させ、図３に示す開状態とする。
これにより、ビデオカメラ１０１をベース部１０の上面に上方から載置するための経路空間が得られる。
ベース部１０の上面に設けられたカメラ固定部１０ａ（図１参照：詳細は図示せず）にビデオカメラ１０１を載置し固定する。
ビデオカメラ１０１に各種ケーブル類を接続した後、右側面部３を矢印ＤＲ１の方向に回動させ、その先端部が左後腕部４０の上方側の端部４０ｔと当接した起立状態とする。その起立状態で、取り付けネジ８０を左後腕部４０に設けられた雌ねじ部４０ａ（図３参照）に螺合させ、右側面部３を固定する。
【００１５】
ベース部１０の下面には、三脚等の他部材に固定するための複数の孔やネジ（図示せず）が設けられている。
従って、ビデオカメラ１０１にカメラアダプタ１を取り付け、そのカメラアダプタ１を介して他部材に固定することで、ビデオカメラ１０１を様々な部材に固定することができる。
また、ビデオカメラ１０１にカメラアダプタ１を取り付けた状態で、ビデオカメラ１０１の左右の側面がカメラアダプタ１の左側面部２及び右側面部３により部分的に覆われるので、ビデオカメラ１０１を外部の部材との衝突などから保護することができる。
【００１６】
図４は、カメラアダプタ１の使用形態の一例を示す斜視図である。
カメラアダプタ１のベース部１０には可搬型ビデオカメラ１０１が、また、左後腕部４０の天面（上面）には、液晶表示素子を用いたビューファインダ１０２が取り付けられている。
【００１７】
次に、右側面部３の組み付けについて詳述する。
図５は、ベース部１０の右側半分を上方側から見た図であって、右側面部３を開位置で分解した状態を示した分解図である。
図５では、ベース部１０，右前腕部５０，右ハンドル部６０，及び右後腕部７０に加えて、軸線Ｃの回動軸となる２本のシャフト９０，１００，及びシャフト９０を固定するブラケット１１０、並びに、右ハンドル部６０を固定するための前ブラケット１２０及び後ブラケット１３０を示している。
【００１８】
図６は、右前腕部５０の先端側部位の拡大図である。
図７は、図６において、右前腕部５０の後方側の側面に設けられた貫通孔５０ａに右ハンドル部６０が挿通された状態を示している。
【００１９】
図６，図７において、右前腕部５０は、上述の貫通孔５０ａと、貫通穴５０ａに外側（図６の右方側）から挿入された右ハンドル部６０の先端部分が収まるように内面から突出するコ字状リブ５０ｂと、コ字状リブ５０ｂのうちの、挿入された右ハンドル部６０の先端面と対向する先端リブ５０ｂ１に形成された一対の雌ねじ部２０３ａ，２０３ｂと、を有して形成されている。
コ字状リブ５０ｂにおける互いに対向する対向リブ５０ｂ２，５０ｂ３は、右ハンドル部６０の先端部分の外周面の曲率に対応した曲率の曲面５０ｄで連結されている。
曲面５０ｄは、その最も深い谷線ＴＳを挟んで形成された１対の凸部２０４ａ，２０５ａを備えている。
実施例の右腕前部５０では、一対の凸部２０４ａ，２０５ａと並列してさらに一対の凸部２０４ｂ，２０５ｂが形成されている。
【００２０】
図５に戻り、右後腕部７０は、その前方側の側面に、右ハンドル部６０が挿通可能な貫通孔７０ａが設けられている。また、貫通孔７０ａに外側（図５の左方側）から右ハンドル部６０が挿入された際に、その先端部分が収まるように内面から突出したコ字状リブ７０ｂと、一対の雌ねじ部２０３ｃ，２０３ｄと、を有して形成されている。
【００２１】
右ハンドル部６０は、アルミニウムの丸棒又は丸管から形成されおり、両端部の近傍にそれぞれ周溝６０ｂ１，６０ｂ２が設けられている。
この周溝６０ｂ１，６０ｂ２は、それぞれ前ブラケット１２０，後ブラケット１３０の板厚とほぼ同じか僅かに大きい幅で設けられている。
また、係合穴６０ｃ１，６０ｃ２が周溝６０ｂ１，６０ｂ２における周方向の同位置に形成されている。
【００２２】
図８は、ブラケット１２０の三面図である。
ブラケット１２０は、例えば板厚１．２ｍｍの表面処理鋼板をプレス加工して形成されている。
ブラケット１２０は、基面１２０ｓ１と基板１２０ｓ１に対して直角に折り曲げられた折り曲げ面１２０ｓ２とからなる概ねＬ字状を呈し、基面１２０ｓ１には一対の貫通孔１２０ａ１，１２０ａ２が形成されている。以降、一対の貫通孔１２０ａ１，１２０ａ２を合わせて単に貫通孔１２０ａとも称する。
折り曲げ面１２０ｓ２の先端面１２０ｂは、中央部が最も凹となる曲面で形成されている。例えば、先端面１２０ｂは一定の曲率Ｒで形成される。
先端面１２０ｂの最も凹となる中央部には、基面１２０ｓ１から離れる方向に突出する凸部として突起部１２０ｃが形成されている。
ブラケット１３０もブラケット１２０と同様形状に形成されている。図７には便宜的にブラケット１３０に対応する符号を付記している。
【００２３】
次に、右側面部３の組み立て手順について説明する。
図７において、右ハンドル部６０の前方側となる一端を右前腕部５０の貫通孔５０ａに外側（図７の右方側）から通す。これにより右ハンドル部６０の一端側がリブ５０ｂの内側に収まる。
次にブラケット１２０を、その突起部１２０ｃ及び先端面１２０ｂがそれぞれ右ハンドル部６０の係合穴６０ｃ１及び周溝６０ｂ１に係合するように載置し、雄ねじＹ，Ｙにより雌ねじ部２０３ａ，２０３ｂにねじ止めして右ハンドル部６０の前方側を右前腕部５０に固定する。
図５，図８を参照して右ハンドル部６０の他端側の固定について説明する。
まず、右ハンドル部６０の後方側となる他端を右後腕部７０の貫通孔７０ａに外側から通す。
次にブラケット１３０を、その突起部１３０ｃ及び先端面１３０ｂがそれぞれ右ハンドル部６０の係合穴６０ｃ２及び周溝６０ｂ１に係合するように載置し、雄ねじ（図示せず）により雄ねじ部２０３ｃ，２０３ｄにねじ止めして右ハンドル部６０の後方側を右後腕部７０に固定する。
これにより、右前腕部５０と右後腕部７０とが右ハンドル部６０により連結一体化される。
右ハンドル部６０の前方側と後方側とのどちらを先に固定するからは限定されない。
【００２４】
図９は、このようにして組み立てた右側面部３をベース部１０に取り付けた状態で示している。
右側面部３は、シャフト９０，１００を介してベース部１０に軸支されている。
シャフト９０は、右前腕部５０のシャフト用孔５０ｃとベース１０のシャフト用孔１０ｂに挿通され、雄ねじＹ１，Ｙ１にてベース部１０に締め付け固定されている。
シャフト１００は、右後腕部７０のシャフト用孔７０ｃに挿通され、雄ねじＹ２，Ｙ２にてベース部１０に締め付け固定されている。
【００２５】
図１０は、実施例のカメラアダプタ１に搭載されるハンドル固定構造を説明する断面図である。
具体的には、右ハンドル部６０が右前腕部５０に固定された状態での、右ハンドル部６０，前ブラケット１２０，コ字状リブ５０ｂとの関係を示す断面図である。
断面位置は右ハンドル部６０の周溝６０ｂ１の位置であり、断面方向は右ハンドル部６０の軸線に直交する方向である。
また、図１０は、右側面部３の起立状態を示し紙面の上下方向が使用時の天地方向に対応している。
【００２６】
図１０において、右ハンドル部６０は、係合穴６０ｃ１が図１０の左側に開口する向きとされており、前ブラケット１２０は、その突起部１２０ｃが係合穴６０ｃ１に係合するように図の左側から雄ねじＹ，Ｙにより右前腕部５０に固定されている。
この雄ねじＹ，Ｙには図１０の矢印ＤＲ９方向に締めしろが設定されているので、右ハンドル部６０は、右前腕部５０に設けられた凸部２０４ａ，２０４ｂ，２０５ａ，２０５ｂに押圧を伴って当接する。
凸部２０４ａ，２０４ｂ，２０５ａ，２０５ｂは、図６からも明らかなように、ハンドル部６０の周溝６０ｂ１を挟んで一方側に２０４ｂ，２０５ｂ，他方側に２０４ａ，２０５ａの各一対が設けられている。
図１０において、凸部２０４ｂ，２０５ｂの突出量は誇張して記載されている。
まだ、凸部２０４ｂが右ハンドル部６０に接触する角度範囲θ１と、凸部２０５ｂが右ハンドル部６０に接触する角度範囲θ２と、は、異なるように設定されている。
具体的には、θ１＞θ２  である。
【００２７】
図１０において、係合穴６０ｃ１と突起部１２０ｃとの係合は、ほぼガタがないように設定されている。
また、前ブラケット１２０の先端面１２０ｂの曲率Ｒと、右ハンドル部６０の周溝６０ｂ１の曲率ＲＨとは、ＲＨ＞Ｒとなるように設定されている。
従って、右ハンドル部６０は、前ブラケット１２０に対してその突起部１２０ｃの根本部分ＮＭのみの１ヶ所で当接していると見なせる。
一方、右ハンドル部６０と右前腕部５０とは、凸部２０４ｂと凸部２０５ｂとの２ヶ所で当接している。
従って、右ハンドル部６０は、３点支持されているのでガタが生じ難い。
【００２８】
周溝６０ｂ１とブラケット１２０の折り曲げ面１２０ｓ２とは、シャフト（右ハンドル部６０）の軸線方向のガタがほとんどないように形成されている。
【００２９】
ビデオカメラ１０１及びカメラアダプタ１は、業務用途の長期信頼性が発揮されるよう堅牢に作られており、質量も民生用と比較して重い。
そのため、ビデオカメラ１０１を取り付けたカメラアダプタ１を右ハンドル部６０及び左ハンドル部３０で持ち上げた際（以下、単に可搬時とも称する）には、前ブラケット１２０及び右前腕部５０には図１０の矢印Ｔ方向の力が加わる。
このカメラアダプタ１には、凸部２０４ｂと凸部２０５ｂとが、右ハンドル部６０の中心Ｃ６０を通る水平軸線ＣＬＨを挟んで上側と下側にそれぞれ設けられている。
【００３０】
そして、凸部２０４ｂに対応する角度θ１を凸部２０５ｂに対応する角度θ２よりも大きく設定して凸部２０４ｂと右ハンドル部６０とが接触する範囲（面積）を凸部２０５ｂと右ハンドル部６０とが接触する範囲（面積）より大きくしているので、カメラアダプタ１の可搬時に凸部２０４ｂに生じる応力が過大になり難く、凸部２０４ｂの塑性変形を効果的に防止している。
可搬時により大きな力が凸部２０４ｂに加わって凸部２０４ｂが塑性変形すると、右ハンドル部６０に大きなガタが生じる虞があるので、塑性変形防止のため可搬時に凸部２０４ｂ（２０４ａ）及び凸部２０５ｂ（２０５ａ）に生じる応力が小さくなるようにすることは有効であり、その場合、長期的に高い信頼性を維持することができる。
【００３１】
凸部２０４ｂと右ハンドル部６０との接触範囲（面積）の拡大は、角度θ１を角度θ２より大きくすることに限らず、凸部２０４ｂの奥行き方向（図１０の紙面直交方向）の幅を凸部２０５ｂの奥行き方向の幅よりも大きくして実現してもよい。もちろん、これらを組み合わせてもよい。
【００３２】
左ハンドル部３０の左前腕部２０及び左後腕部４０への取り付け構造は、右ハンドル部６０の右前腕部５０及び右後腕部７０への取り付け構造と同様である。
【００３３】
上述したハンドル固定構造によれば、ハンドル６０の軸方向のガタが周溝６０ｂ１と折り曲げ面１２０ｓ２との係合でガタなく規制され、ハンドル６０の回転方向のガタが係合穴６０ｃ１と突起部１２０ｃとの係合でガタなく規制され、ハンドル６０が３つの支持部ＮＭ，２０４ｂ，２０５ｂで３点支持されると共に、使用状態でハンドル６０に最も力のかかる支持部２０４ｂのハンドル６０との接触面積を、それよりも力のかからない支持部２０５ｂのハンドル６０との接触面積よりも広くしてあるので、支持部２０４ｂに生じる応力を低減して塑性変形を防止できる。従って、ハンドル６０のガタの発生を長期に防止し、信頼性の高いハンドル固定構造が得られる。
【００３４】
また、上述したカメラアダプタ１によれば、上述のハンドル固定構造を備えているので、ハンドル３０，６０を把持してカメラアダプタ１を可搬しても、支持部２０４ｂ，２０４ａに生じる応力が低減され塑性変形を防止できる。従って、ハンドル３０，６０のガタの発生を長期に防止し、信頼性の高いカメラアダプタが得られる。
【００３５】
実施例のハンドル固定構造は、上述のものに限らず次のようなものであってよい。以下は右ハンドル部６０の右前腕部５０への固定構造について記載するが、左ハンドル部３０にも適用される。また、右後腕部７０や左前腕部２０，及び左後腕部４０にも相互に適用される。
【００３６】
ハンドル６０は丸棒又は丸管でよい。ハンドル３０は、端部側に形成された周溝６０ｂ１と、その底部に形成された係合穴６０ｃ１である凹部と、を有する。
右前腕部５０は支持部材であって、ハンドル６０の断面形状を直径で２分した際の一方側の外面に対し周方向の異なる位置でハンドル６０に当接する凸部である第１及び第２の当接部２０４ｂ，２０５ｂを有する。
ブラケット１２０は、ハンドル６０を支持部材５０との間に挟持するよう支持部材５０に固定されている。
凹係合部１２０ｃとハンドル６０の中心とを通る直線が第１の当接部（凸部）２０４ｂと第２の当接部（凸部）２０５ｂとの間に位置すると共に、第１の当接部２０４ｂの当接面積が第２の当接部２０５ｂの当接面積よりも大きい。
【００３７】
実施例のカメラアダプタ１は、上述のものに限らず次のようなものであってよい。カメラアダプタ１は、カメラ１０１を載置するベース部１０と、筐体である右前腕部５０とその筐体５０に固定されたハンドル６０とを有し、載置されたカメラ１０１の側面と対向するよう又は対向可能なように筐体５０とベース部１０とが連結された側面部３と、を有する。
カメラアダプタ１は上述のハンドル固定構造を備える。加えて、筐体５０の第１及び第２当接部２０４ｂ，２０５ｂは、ハンドル６０の断面形状をこのカメラアダプタ１の使用状態における鉛直線及び水平線で４分割した際の、鉛直線に対し一方側であって、水平線に対し天側となる外面位置でハンドル６０に当接する第１の当接部２０４ｂと水平線に対し地側となる外面位置でハンドル６０に当接する第２の当接部２０５ｂである。
カメラアダプタ１のブラケット１２０は、鉛直線に対し他方側の周溝６０ｂ１に係合する溝係合部１２０ｂ及び凹部６０ｃ１に係合する凹係合部１２０ｃを有する。
凹係合部１２０ｂとハンドル６０の中心とを通る直線が第１の当接部２０４ｂと第２の当接部２０５ｂとの間に位置すると共に、第１の当接部２０４ｂの当接面積が第２の当接部２０５ｂの当接面積よりも大きい。
【００３８】
本発明の実施例は、上述した構成及び手順に限定されるものではなく、本発明の要旨を逸脱しない範囲において変形例としてもよいのは言うまでもない。
【符号の説明】
【００３９】
１  カメラアダプタ
２  左側面部
３  右側面部
１０  ベース部
１０ａ  カメラ固定部
１０ｂ  シャフト用孔
２０  左前腕部
３０  左ハンドル部
３０ａ  滑り止め
４０  左後腕部
４０ａ  雌ねじ部
４０ｔ  上方側の端部
５０  右前腕部
５０ａ  貫通孔
５０ｂ  コ字状リブ
５０ｂ１  先端リブ
５０ｂ２，５０ｂ３  対向リブ
５０ｃ  シャフト用孔
５０ｄ  曲面
６０  右ハンドル部
６０ａ  滑り止め
６０ｂ１，６０ｂ２  周溝
６０ｃ１，６０ｃ２  係合穴
７０  右後腕部
７０ａ  貫通孔
７０ｂ  リブ
７０ｃ  シャフト用孔
８０  取り付けネジ
９０，１００  シャフト
１０１  ビデオカメラ
１０２  ビューファインダ
１１０  ブラケット
１２０  前ブラケット
１２０ａ，１２０ａ１，１２０ａ２  貫通孔
１２０ｂ  先端面
１２０ｃ  突起部
１２０ｓ１  基面
１２０ｓ２  折り曲げ面
１３０  後ブラケット
２０３ａ，２０３ｂ，２０３ｃ，２０３ｄ  雌ねじ部
２０４ａ，２０４ｂ，２０５ａ，２０５ｂ  凸部
ＮＭ  根本部分
Ｒ，ＲＨ  曲率
【図１】
2012013904.tif 000003
【図２】
2012013904.tif 000004
【図３】
2012013904.tif 000005
【図４】
2012013904.tif 000006
【図５】
2012013904.tif 000007
【図６】
2012013904.tif 000008
【図７】
2012013904.tif 000009
【図８】
2012013904.tif 000010
【図９】
2012013904.tif 000011
【図１０】
2012013904.tif 000012